(57)【要約】  本発明は、無線ＬＡＮ接続装置および無線ＬＡＮ接続方法に関し、無線ＬＡＮ接続装置を通じて無線ＬＡＮ接続が要請される場合、移動通信端末機の接続承認の可否を決定する無線ＬＡＮ接続装置および動作方法である。本発明の実施形態による無線ＬＡＮ接続システムは、固有ＩＤをもち、無線データ交換プロトコルによって移動通信端末機との無線ネットワーク接続を実行する無線ＬＡＮ接続装置と、ソーシャルネットワークサービス（ＳＮＳ）を提供するＳＮＳサーバと、前記移動通信端末機が前記無線ＬＡＮ接続装置を通じて無線ＬＡＮ接続を要請する場合、前記移動通信端末機のユーザの前記ＳＮＳサーバへのログイン成功の可否に応じて無線ＬＡＮ接続承認を決定する認証サービスとを含む。
2014527326.tif 000002
【特許請求の範囲】
【請求項１】
固有ＩＤをもち、無線データ交換プロトコルによって移動通信端末機との無線ネットワーク接続を実行する無線ＬＡＮ接続装置と、
ソーシャルネットワークサービス（ＳＮＳ）を提供するＳＮＳサーバと、
前記移動通信端末機が前記無線ＬＡＮ接続装置を通じて無線ＬＡＮ接続を要請した場合、前記移動通信端末機ユーザの前記ＳＮＳサーバへのログイン成功の可否に応じて無線ＬＡＮ接続承認を決定する認証サーバと、
を含む、無線ＬＡＮ接続システム。
【請求項２】
前記無線ＬＡＮ接続装置が設置された場所の情報である無線ＬＡＮ接続装置設置情報をそれぞれの無線ＬＡＮ接続装置の前記固有ＩＤ別に格納した無線ＬＡＮ接続装置リストＤＢを含む、請求項１に記載の無線ＬＡＮ接続システム。
【請求項３】
前記無線ＬＡＮ接続装置設置情報は、無線ＬＡＮ接続装置が設置された売場固有番号、売場管理者情報、無線ＬＡＮ接続装置が設置された場所の情報が記載されたポスティング情報のうちの少なくとも１つ以上含む、請求項２に記載の無線ＬＡＮ接続システム。
【請求項４】
前記ポスティング情報は、前記無線ＬＡＮ接続装置が設置された売場商号、売場ロゴ、売場位置、売場電話番号、イベント行事情報、クーポン情報などを少なくとも１つ以上含む、請求項３に記載の無線ＬＡＮ接続システム。
【請求項５】
前記認証サーバは、前記ＳＮＳサーバのログインが成功した場合、前記無線ＬＡＮ接続装置を通じた前記移動通信端末機の無線ネットワーク接続を承認し、前記ＳＮＳサーバのログインが失敗した場合、前記無線ＬＡＮ接続装置を通じた前記移動通信端末機の無線ネットワーク接続を拒絶する、請求項３に記載の無線ＬＡＮ接続システム。
【請求項６】
前記認証サーバは、前記ＳＮＳサーバのログインが成功した場合、前記無線ＬＡＮ接続装置リストＤＢから接続要請された無線ＬＡＮ接続装置に割り当てられたポスティング情報を取得し、前記ポスティング情報が記載されたポスティングページを生成して前記ＳＮＳサーバに送信する、請求項５に記載の無線ＬＡＮ接続システム。
【請求項７】
前記移動通信端末機が無線ＬＡＮ接続装置を通じて無線ネットワークに接続した履歴を記録した接続ヒストリＤＢを含む、請求項１に記載の無線ＬＡＮ接続システム。
【請求項８】
無線ＬＡＮ接続装置が移動通信端末機から無線ＬＡＮ接続要請を受信すると、認証サーバに無線ＬＡＮ接続認証を要請する過程と、
認証サーバが、ユーザが前記移動通信端末機を通じてソーシャルネットワークサービス（ＳＮＳ）ログインに成功するかを判断するログイン判断過程と、
認証サーバが、前記ＳＮＳログインへの成功の可否に応じて前記無線ＬＡＮ接続装置を通じた無線ＬＡＮ接続承認を決定する無線ＬＡＮ接続承認過程と、
を含む、無線ＬＡＮ接続方法。
【請求項９】
前記ログイン判断過程は、
前記移動通信端末機が無線ＬＡＮ接続を要請する場合、認証サーバが、多数のソーシャルネットワークサービス会社のロゴが表示されたＳＮＳ選択画面を前記移動通信端末機に提供する過程と、
前記移動通信端末機が特定のソーシャルネットワークサービスを選択すると、認証サーバが、選択されたソーシャルネットワークサービスを提供するＳＮＳサーバからＳＮＳログイン画面の提供を受けて前記移動通信端末機に提供する過程と、
前記移動通信端末機がユーザからＳＮＳログインのためのＩＤおよびパスワードの入力を受けて前記認証サーバに送信し、認証サーバがＩＤおよびパスワードを前記ＳＮＳサーバに送信する過程と、
前記ＳＮＳサーバが、受信したＩＤおよびパスワードの有効性を検証してＳＮＳログイン成功の可否を前記認証サーバに送信する過程と、
を含む、請求項８に記載の無線ＬＡＮ接続方法。
【請求項１０】
前記無線ＬＡＮ接続承認過程は、前記ＳＮＳサーバのログインが成功した場合、前記無線ＬＡＮ接続装置を通じた前記移動通信端末機の無線ネットワーク接続を承認し、前記ＳＮＳサーバのログインが失敗した場合、前記無線ＬＡＮ接続装置を通じた前記移動通信端末機の無線ネットワーク接続を拒絶する、請求項８に記載の無線ＬＡＮ接続方法。
【請求項１１】
前記ＳＮＳサーバのログインが成功した場合、前記認証サーバは、無線ＬＡＮ接続装置が設置された場所の情報が記載されたポスティング情報をデータベースから取得し、前記ポスティング情報が記載されたポスティングページを生成して前記ＳＮＳサーバに送信する、請求項１０に記載の無線ＬＡＮ接続方法。
【請求項１２】
前記ポスティング情報は、前記無線ＬＡＮ接続装置が設置された売場商号、売場ロゴ、売場位置、売場電話番号、イベント行事情報、クーポン情報などを少なくとも１つ以上含む、請求項１１に記載の無線ＬＡＮ接続方法。
【発明の詳細な説明】
【技術分野】
【０００１】
本発明は、無線ＬＡＮ接続装置および無線ＬＡＮ接続方法に関し、無線ＬＡＮ接続装置を通じて無線ＬＡＮ接続が要請される場合、移動通信端末機の接続承認の可否を決定する無線ＬＡＮ接続装置および動作方法に関する。
【背景技術】
【０００２】
最近、喫茶店などでノート型パンコンを利用して長期間作業をしている学生や会社員を頻繁に目にする。これは、広帯域インターネットの普及率世界１位、全国民１人１台以上の携帯電話の普及、ノート型パンコンの高性能化および軽量化、１千万台以上のスマートフォンの普及などから派生したモバイルネットワーク環境の一般化によって可能となった現象である。このような現象は一時的なものに留まらず、その範囲を拡大し続けるものと見込まれている。最近の通信社でのデータ無制限料金制度の発売開始や全国的なＷｉ−ＦｉＡＰ設置計画などは、このようなユーザの変化に対処するための通信社間の競争を示している。
【０００３】
家庭、企業、および喫茶店などで便利に無線インターネットサービスを利用するためには、インターネットに接続するためのインフラ確保が何よりも優先視されなければならない。これに合わせ、売場や通信社では、無線ＬＡＮ接続装置（無線ＬＡＮ  ＡＰ：Ｗｉｒｅｌｅｓｓ  Ｌａｎ  Ａｃｃｅｓｓ  Ｐｏｉｎｔ）を拡大して設置する場所が増加している。
【０００４】
しかし、韓国公開特許第２００７−００１５３８９号公報に記述されているように、無線ＬＡＮ接続装置（無線ＡＰ）を利用しようとする場合、無線ＬＡＮ接続装置を提供する通信社の加入者ではなければ使用が制限され、住民番号／固有番号などの個人情報を入力して認証を受けなければならないという不便がある。
【０００５】
結局、大多数の人々は、このような複雑な認証の手続きによって個人情報を要求する無線ＬＡＮ接続装置は利用せず、３Ｇ（３Ｇｅｎｅｒａｔｉｏｎ）網、４Ｇ網などの移動通信網を通じてインターネットに接続しているのが実情である。
【０００６】
しかし、無線ＬＡＮ接続装置を利用せずに３Ｇ網のような移動通信網を利用して接続を行うには、次のような問題がある。
【０００７】
第１に、大多数のユーザが移動通信網を主に利用する場合、移動通信社の移動通信網の負荷増加と、これを解消するための大規模投資（基地局の増設）が必要となり、社会的費用の増加を招来するという問題がある。
【０００８】
第２に、ユーザは、高速の活用が可能な資源（例えば、無線ＬＡＮ接続装置のＷｉ−Ｆｉ接続）があるにも係わらず、低速の移動通信網を利用する不便さをもつという問題がある。
【０００９】
第３に、売場の場合には、無線ＬＡＮ接続装置を無償で提供しているにも係わらず、無線ＬＡＮ接続装置を利用して効果的に売場を広報することができない問題がある。
【発明の概要】
【発明が解決しようとする課題】
【００１０】
本発明の技術的課題は、移動通信端末機が無線ＬＡＮ接続装置を通じた無線ＬＡＮ接続手段を提供することにある。また、本発明の技術的課題は、容易な移動通信端末機の無線ＬＡＮ接続手段を提供することにある。また、本発明の技術的課題は、無線ＬＡＮ接続時に個人情報を最大限に保護することにある。さらに、本発明の技術的課題は、無線ＬＡＮ接続装置が設置された場所に対する広告効果を極大化する方法を提供することにある。
【課題を解決するための手段】
【００１１】
本発明の実施形態による無線ＬＡＮ接続システムは、固有ＩＤをもち、無線データ交換プロトコルによって移動通信端末機との無線ネットワーク接続を実行する無線ＬＡＮ接続装置と、ソーシャルネットワークサービス（ＳＮＳ）を提供するＳＮＳサーバと、前記移動通信端末機が前記無線ＬＡＮ接続装置を通じて無線ＬＡＮ接続を要請した場合、前記移動通信端末機のユーザの前記ＳＮＳサーバへのログイン成功の可否に応じて無線ＬＡＮ接続承認を決定する認証サーバとを含む。
【００１２】
前記無線ＬＡＮ接続システムは、前記無線ＬＡＮ接続装置が設置された場所の情報である無線ＬＡＮ接続装置設置情報をそれぞれの無線ＬＡＮ接続装置の前記固有ＩＤ別に格納した無線ＬＡＮ接続装置リストＤＢを含む。
【００１３】
前記無線ＬＡＮ接続装置設置情報は、無線ＬＡＮ接続装置が設置された売場固有番号、売場管理者情報、無線ＬＡＮ接続装置が設置された場所の情報が記載されたポスティング情報のうちの少なくとも１つを以上含む。
【００１４】
前記認証サーバは、前記ＳＮＳサーバのログインが成功した場合、前記無線ＬＡＮ接続装置リストＤＢから接続要請された無線ＬＡＮ接続装置に割り当てられたポスティング情報を取得し、前記ポスティング情報が記載されたポスティングページを生成して前記ＳＮＳサーバに送信する。
【００１５】
本発明の実施形態による無線ＬＡＮ接続方法は、無線ＬＡＮ接続装置が移動通信端末機から無線ＬＡＮ接続要請を受信すると、認証サーバに無線ＬＡＮ接続認証を要請する過程と、認証サーバが、ユーザが前記移動通信端末機を通じてソーシャルネットワークサービス（ＳＮＳ）ログインに成功するか否かを判断するログイン判断過程と、認証サーバが、前記ＳＮＳログイン成功の可否に応じて前記無線ＬＡＮ接続装置を通じた無線ＬＡＮ接続承認を決定する無線ＬＡＮ接続承認過程とを含む。
【００１６】
前記ログイン判断過程は、前記移動通信端末機が無線ＬＡＮ接続を要請する場合、認証サーバが、多数のソーシャルネットワークサービス会社のロゴが表示されたＳＮＳ選択画面を前記移動通信端末機に提供する過程と、前記移動通信端末機が特定のソーシャルネットワークサービスを選択すると、認証サーバが、選択されたソーシャルネットワークサービスを提供するＳＮＳサーバからＳＮＳログイン画面の提供を受けて前記移動通信端末機に提供する過程と、前記移動通信端末機がユーザからＳＮＳログインのためのＩＤおよびパスワードの入力を受けて前記認証サーバに送信し、認証サーバがＩＤおよびパスワードを前記ＳＮＳサーバに送信する過程と、前記ＳＮＳサーバが、受信したＩＤおよびパスワードの有効性を検証してＳＮＳログイン成功の可否を前記認証サーバに送信する過程とを含む。
【００１７】
前記ＳＮＳサーバへのログインが成功した場合、前記認証サーバが、無線ＬＡＮ接続装置が設置された場所の情報が記載されたポスティング情報をデータベースから取得し、前記ポスティング情報が記載されたポスティングページを生成して前記ＳＮＳサーバに送信する。
【発明の効果】
【００１８】
本発明の実施形態によれば、ＳＮＳ（Ｓｏｃｉａｌ  Ｎｅｔｗｏｒｋ  Ｓｅｒｖｉｃｅ）ログイン情報のみを利用して無線ＬＡＮ接続承認の可否を決定することにより、個人情報の流出を防ぐことができる。また、本発明の実施形態によれば、無線ＬＡＮ接続装置を通じた容易な無線ＬＡＮ接続をなすことができる。さらに、本発明の実施形態によれば、無線ＬＡＮ接続装置を通じてインターネットに接続するときに自動で売場情報をポスティングすることにより、無線ＬＡＮ接続装置を提供する売場の広告効果を極大化することができる。
【図面の簡単な説明】
【００１９】
【図１】本発明の実施形態に係る、移動通信端末機が無線ＬＡＮ接続装置を通じてネットワークに接続する無線ＬＡＮ接続システムの構成ブロック図である。
【図２】本発明の実施形態に係る、移動通信端末機が無線ＬＡＮ接続装置を通じてネットワークに接続する過程を示したフローチャートである。
【図３】本発明の実施形態によって移動通信端末機にディスプレイされるＳＮＳログイン選択画面を示した図である。
【図４】本発明の実施形態によって移動通信端末機にディスプレイされるＳＮＳログイン入力画面を示した図である。
【図５】本発明の実施形態によって移動通信端末機にディスプレイされるＳＮＳログイン成功画面を示した図である。
【図６】本発明の実施形態によってＳＮＳサーバに売場情報がポスティングされる様子を示した図である。
【発明を実施するための形態】
【００２０】
以下、添付の図面を参照しながら、本発明の実施形態についてさらに詳しく説明する。しかし、本発明は、以下で開示される実施形態に限定されるものではなく、互いに異なる多様な形態で実現されるものであって、本実施形態は、本発明の開示が完全となるようにし、通常の知識を有する者に発明の範疇を完全に知らせるために提供されるものである。図面上において、同じ符号は同じ要素を指称する。
【００２１】
図１は、本発明の実施形態に係る、移動通信端末機が無線ＬＡＮ接続装置を通じてネットワークに接続する無線ＬＡＮ接続システムの構成ブロック図である。
【００２２】
以下、移動通信端末機１０は、フィーチャフォン（ｆｅａｃｔｕｒｅ  ｐｈｏｎｅ）やスマートフォン（ｓｍａｒｔ  ｐｈｏｎｅ）などのような携帯電話、ノート型パソコン（ｎｏｔｅｂｏｏｋ  ｃｏｍｐｕｔｅｒ）、デジタル放送用端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション（Ｎａｖｉｇａｔｉｏｎ）、ＭＰ３Ｐ（ＭＰＥＧ  ｌａｙｅｒ  ３Ｐｌａｙｅｒ）などである。本発明が適用可能な移動通信端末機は、上述した種類に限定されることはなく、無線ＬＡＮ接続装置に接続して外部ネットワークに接続することができる端末機をすべて含むことは明らかである。
【００２３】
また、無線ＬＡＮ接続装置１００とは、Ｗｉ−Ｆｉの無線網を通じて接続するアクセスポイント（ＡＰ）を意味するものであって、家庭でインターネット電話に使用されるＡＰ、無線ルータＡＰ、通信社から提供されるＡＰ（Ｈｏｔ  ＳｐｏｔゾーンのＡＰ）などをすべて含んでもよい。
【００２４】
無線ＬＡＮ接続装置（ＡＰ：１００；１００ａ、１００ｂ、１００ｃ、１００ｄ）は、売場などの特定の場所に単数個または複数個が設置されてもよい。例えば、第１ＡＰ１００ａの場合は第１売場１１０ａ内に、第２ＡＰ１００ｂおよび第３ＡＰ１００ｃの場合は第２売場１１０ｂ内に、第４ＡＰ１００ｄの場合は第３売場１１０ｃ内に設置されてもよい。
【００２５】
それぞれの無線ＬＡＮ接続装置１００は、ＭＡＣアドレス（Ｍｅｄｉａ  Ａｃｃｅｓｓ  Ｃｏｎｔｒｏｌ  Ａｄｄｒｅｓｓ）または個別に設定される固有ＩＤを通じてネットワーク上で識別が可能となる。また、それぞれの無線ＬＡＮ接続装置１００は、移動通信端末機１０と無線周波数通信を実行するための無線送受信機を備える。このために、無線ＬＡＮ接続装置１００は、ＩＥＥＥ８０２．１ｘプロトコルのような無線データ交換プロトコルを適用して近距離無線通信を実行する。
【００２６】
ゲートウェイ２００（ｇａｔｅｗａｙ）は、無線ＬＡＮ接続装置が接続したネットワークとＳＮＳサーバが接続したパケットデータネットワーク（ＰＤＮ：ｐａｃｋｅｔ  ｄａｔａ  ｎｅｔｗｏｒｋ）との間に通信経路を繋ぐためのネットワークプロトコル変換装置である。それぞれのネットワークは、他のネットワークと区別されるプロトコルによってデータを送信するため、ネットワークごとにデータを送信する方式が異なる。したがって、ゲートウェイ２００は、このようなネットワーク変換プロトコルを提供する。
【００２７】
ＳＮＳサーバ４００は、パケットデータネットワーク（ＰＤＮ）に接続してソーシャルネットワークサービス（Ｓｏｃｉａｌ  Ｎｅｔｗｏｒｋ  Ｓｅｒｖｉｃｅ）を提供する。例えば、ツイッター（登録商標）、フェースブック（登録商標）、ミートゥデイのような各ＳＮＳに加入した会員間で情報を共有するＳＮＳサービスを提供するサーバである。前記ＳＮＳサーバは、サービス提供会社（ＩＰＳ）別に運営するそれぞれのＳＮＳサーバ（４００ａ、４００ｂ、４００ｎ）の形態で提供される。前記ＳＮＳサーバ４００を利用してＳＮＳサービスの提供を受けるために、ユーザは該当するＳＮＳサーバへのログインを経なければならない。
【００２８】
無線ＬＡＮ接続装置リストＤＢ３１０は、認証サーバ３００が管理する無線ＬＡＮ接続装置の固有ＩＤ（例えば、ＭＡＣアドレス）のリストを格納する。また、各固有ＩＤ別に、該当する無線ＬＡＮ接続装置が設置された売場固有番号、売場商号、管理者情報、ポスティング情報などの無線ＬＡＮ接続装置設置情報を格納する。下記表１には、無線ＬＡＮ接続装置リストＤＢに格納される内容を記載した。
【表１】
2014527326.tif 000003
前記売場固有番号には無線ＬＡＮ接続装置が設置された売場を識別することができる情報（例えば、事業者番号）が格納され、売場商号とは売場の固有商号を意味し、管理者情報とは売場の管理者の氏名や電話番号、住所などを意味する。
【００２９】
前記ポスティング情報は、無線ＬＡＮ接続装置が設置された売場の関連情報であって、ログインが成功したときに該当するＳＮＳサービスに自動でポスティングされる内容（ツイッターサービスに接続する場合はツイッターページ）である。このようなポスティング情報には、売場の売場商号、売場ロゴ、売場位置、売場電話番号、イベント行事情報、クーポン情報などが少なくとも１つ以上含まれてもよい。前記イベント行事情報には該当する売場で行われるイベント行事（例えば、１＋１贈呈行事、セール行事）内容が格納されており、前記クーポン情報には無線ＬＡＮ接続装置が設置された売場で使用することができるクーポンが格納されている。
【００３０】
接続ヒストリＤＢ３２０は、ＳＮＳに接続した記録を格納したＤＢであって、移動通信端末機が各無線ＬＡＮ接続装置を通じてＳＮＳ接続承認を完了して無線ネットワークを利用する場合、各無線ＬＡＮ接続装置別にＳＮＳ接続内訳を格納する。このような接続ヒストリＤＢは、以後の多様なマーケティングに活用することができる上に、売場別のＳＮＳ使用率を把握して売場広告に利用することもできる。
【００３１】
前記無線ＬＡＮ接続装置リストＤＢ３１０および接続ヒストリＤＢ３２０は、内部のメモリまたは外部のメモリに格納される。前記メモリは、ハードディスク（Ｈａｒｄ  Ｄｉｓｋ）、フラッシュメモリ（Ｆｌａｓｈ  Ｍｅｍｏｒｙ）、ＣＦカード（Ｃｏｍｐａｃｔ  Ｆｌａｓｈ  Ｃａｒｄ）、ＳＤカード（Ｓｅｃｕｒｅ  Ｄｉｇｉｔａｌ  Ｃａｒｄ）、ＳＭカード（Ｓｍａｒｔ  Ｍｅｄｉａ（登録商標）  Ｃａｒｄ）、ＭＭＣカード（Ｍｕｌｔｉ−Ｍｅｄｉａ  Ｃａｒｄ）、またはメモリスティック（Ｍｅｍｏｒｙ  Ｓｔｉｃｋ）など情報の入出力が可能なモジュールであって、装置の内部に備えられてもよく、別途の装置に備えられてもよい。
【００３２】
認証サーバ３００は、特定の移動通信端末機１０から無線ＬＡＮ接続装置を通じて無線ＬＡＮ接続要請を受信した場合、その移動通信端末機に無線ＬＡＮ接続する権限があるかを判断する無線ＬＡＮ接続認証を実行する。前記無線ＬＡＮ接続認証は、ＳＮＳサーバへのログインが成功的になされるかを判断する。
【００３３】
また、認証サーバ３００は、ＳＮＳログインが成功的になされた場合、接続に使用された無線ＬＡＮ接続装置にネットワーク接続承認メッセージを送信する。前記ネットワーク接続承認メッセージを受信した無線ＬＡＮ接続装置は、ＳＮＳログインに成功した移動通信端末機に対してネットワークに接続することができる権限を付与し、ネットワークの使用を承認する。
【００３４】
また、認証サーバ３００は、ＳＮＳログインが成功的になされた場合、該当するＳＮＳサーバにポスティングを実行する。接続に使用された無線ＬＡＮ接続装置に割り当てられて格納されたポスティング情報を無線ＬＡＮ接続装置リストＤＢから受信し、そのポスティング情報をＳＮＳサーバに送信してポスティングするのである。例えば、第１ユーザが所有している第１移動通信端末機１０ａを通じて「ジョン・ガンスｃｏｆｆｅｅ」の商号をもつ江南店である第１売場１１０ａ内に設置された第１無線ＬＡＮ接続装置１００ａを通じてツイッター（登録商標）（ｔｗｉｔｔｅｒ（登録商標））に接続した場合、認証サーバ３００は、そのユーザが「ジョン・ガンスｃｏｆｆｅｅ」江南店に現在位置しており、「ジョン・ガンスｃｏｆｆｅｅ」江南店のロゴ、電話番号、位置、イベント情報、クーポン情報などをツイッター（登録商標）にツイートするようになる。したがって、第１ユーザのＳＮＳのフォロワー（ｆｏｌｌｏｗｅｒ）は、リアルタイムで「ジョン・ガンスｃｏｆｆｅｅ」江南店の位置、イベント情報、クーポン情報を見ることができ、売場広報に利用されるようになる。参考までに、個人の私生活保護のために、該当するユーザが「ジョン・ガンスｃｏｆｆｅｅ」江南店で接続したという事実はポスティングには表示されず、売場情報のみがポスティングされてもよい。
【００３５】
図２は、本発明の実施形態に係る、移動通信端末機が無線ＬＡＮ接続装置を通じてネットワークに接続する過程を示したフローチャートである。
【００３６】
移動通信端末機１０が特定の無線ＬＡＮ接続装置を通じて無線ＬＡＮ接続要請をすると（Ｓ１１）、無線ＬＡＮ接続装置１００は、認証サーバ３００に無線ＬＡＮ接続を承認するかを問う無線ＬＡＮ接続認証要請をする（Ｓ１２）。前記認証要請を受信した認証サーバ３００は、図３のように、該当する要請移動通信端末機にＳＮＳログイン選択画面を提供し（Ｓ１３）、無線ＬＡＮ接続装置１００はこれを移動通信端末機１００に中継する（Ｓ１４）。前記ＳＮＳログイン選択画面は、多数のＳＮＳサービス提供会社を選択することができる画面であって、例えば、ツイッター（登録商標）やフェースブック（登録商標）のようなＳＮＳロゴを表示する。参考までに、以下では、無線ＬＡＮ接続装置１００と認証サーバ３００との間に中継動作のみを実行する場合は別途で説明しない。
【００３７】
ユーザがＳＮＳログイン選択画面を通じて特定のＳＮＳロゴを選択した場合（Ｓ１５）、移動通信端末機１００は、認証サーバ３００に選択されたＳＮＳサーバ名称を提供する（Ｓ１６）。認証サーバ３００は、選択されたＳＮＳサーバにＳＮＳログインを要請する（Ｓ１７）。前記ＳＮＳログイン要請によって選択されたＳＮＳサーバ４００がＳＮＳログイン入力画面を認証サーバ３００に提供すると（Ｓ１８）、認証サーバ３００は、ＳＮＳログイン入力画面を無線ＬＡＮ接続装置を通じて移動通信端末機に中継する（Ｓ１９）。参考までに、認証サーバは、各ＳＮＳサーバのＩＰアドレスを有しており、該当するＩＰアドレスに接続することによって自動的にログイン入力画面を取得してもよい。
【００３８】
移動通信端末機１０は、図４に示すように、選択されたＳＮＳログイン入力画面をディスプレイするようになり、ユーザは、ＳＮＳログイン入力画面に該当するＳＮＳサーバに加入したユーザＩＤ（ＩＤ）とパスワード（ＰＷ）を入力する（Ｓ２０）。
【００３９】
ＳＮＳログイン入力画面に入力されたユーザＩＤ（ＩＤ）とパスワード（ＰＷ）は、認証サーバを経てＳＮＳサーバ４００に送信される（Ｓ２１）。参考までに、送信されるＩＤとパスワードは、予め設定された暗号化値であって、中継送信されて保安が保持される。
【００４０】
前記ユーザＩＤとパスワードを受信したＳＮＳサーバ４００は、受信したＩＤとパスワードにログイン権限があるかを判断する（Ｓ２２）。ＩＤとパスワードが一致せずにログインが失敗した場合、ＳＮＳログイン失敗メッセージを認証サーバに送信する（Ｓ２３）。認証サーバ３００は、無線ＬＡＮ接続装置に、無線ネットワーク接続認証失敗メッセージと共にログイン失敗画面を提供する（Ｓ２４）。
【００４１】
無線ＬＡＮ接続装置は、ＳＮＳログイン失敗画面を移動通信端末機に提供し、さらにその移動通信端末機の無線ＬＡＮ接続を継続して許可しない。ＳＮＳログイン失敗画面（Ｓ２５）と共に、ユーザ要請に応じてＳＮＳログイン選択画面またはＳＮＳログイン入力画面を再び提供してもよい。
【００４２】
一方、ＩＤとパスワードが一致してログインが承認された場合、ＳＮＳサーバ４００は、ＳＮＳログイン成功メッセージを認証サーバ３００に送信する（Ｓ２６）。
【００４３】
前記ＳＮＳログイン成功メッセージを受信した認証サーバ３００は、無線ＬＡＮ接続装置を通じてネットワーク接続を承認する接続承認メッセージと接続承認画面を無線ＬＡＮ接続装置１００に送信する（Ｓ２７）。
【００４４】
さらに、無線ＬＡＮ接続装置３００は、接続承認画面を移動通信端末機に中継送信（Ｓ２８）し、これを受信した移動通信端末機１０は、図５のように、接続承認画面をディスプレイ（Ｓ２９）して無線ネットワーク接続が承認されたことをユーザに知らせる。接続承認画面を一定時間に亘ってディスプレイした後にインターネット接続ウィンドウをディスプレイし、ユーザがインターネットを使用できるようにする。無線ＬＡＮ接続装置１００は、接続承認メッセージにより、以後に発生する移動通信端末機の無線ＬＡＮ使用要請（Ｓ３０）による無線ＬＡＮ接続を許可する（Ｓ３１）。
【００４５】
参考までに、上述では、ＩＤとパスワードが一致してＳＮＳサーバでログイン承認がなされた場合、ＳＮＳログイン成功メッセージを認証サーバに送信（Ｓ２６）するが、このようなＳＮＳログイン成功メッセージは、テキストメッセージ形態であってもよく、他の実施形態としては、ＳＮＳ初期画面自体がＳＮＳログイン成功メッセージとして使用されてもよい。前記ＳＮＳ初期画面とは、ログインが成功するときに提供される一般的な画面を意味する。
【００４６】
ＳＮＳ初期画面自体がＳＮＳログイン成功メッセージとして使用されるのは、認証サーバがＳＮＳ初期画面のデータを分析し、ログインが成功したのか失敗したのかを知ることができるためである。すなわち、ログインが成功して提供されるＳＮＳ初期画面は、ＨＴＭＬのようにスクリプト言語で構成されており、ＨＴＭＬのスクリプト言語のログイン関連フィールドの内容を抽出して該当する内容を把握することによってログイン成功の可否が分かる。例えば、ＳＮＳログインが成功した場合には、ＳＮＳ初期画面にはユーザＩＤと共にＳＮＳポスティングメイン画面が提供され、ＳＮＳログインが失敗した場合には、ＳＮＳ初期画面ではなくＩＤおよびパスワードの再入力画面がディスプレイされるため、このような画面を構成するスクリプト言語を分析してログイン成功の可否を把握してもよい。
【００４７】
一方、認証サーバ３００は、ＳＮＳログインが成功してＳＮＳサーバから送信（Ｓ２６）されるＳＮＳログイン成功メッセージを受信した場合、無線ＬＡＮ接続装置リストＤＢから接続に使用された無線ＬＡＮ接続装置に割り当てられたポスティング情報を呼び込む（Ｓ３２）。
【００４８】
認証サーバ３００は、ポスティング情報を参照しながらポスティング情報をＳＮＳサーバに提供（Ｓ３３）し、ＳＮＳサーバでポスティングがなされるようにする（Ｓ３４）。図６は、ＳＮＳポスティングされた様子を示したものであって、無線ネットワーク接続した無線ＬＡＮ接続装置が設置された売場の情報、すなわち、ロゴ、位置、電話番号、クーポン情報、イベント情報などが表示されている。ＳＮＳユーザ（例えば、ツイッター（登録商標）のフォロワー）は、ポスティングされた情報をリアルタイムで確認することができる。したがって、売場の立場では、広告効果を極大化することができる。
【００４９】
また、認証サーバ３００は、無線ＬＡＮ接続装置に接続する移動通信端末機のユーザ内訳を接続ヒストリＤＢに格納し、以後の統計算出時に接続ヒストリＤＢを活用できるようにする。
【００５０】
一方、上述したように、無線ＬＡＮ接続時に、従来では住民登録番号や名前などの私的な個人情報を利用してログインすることによって個人情報が流出するという問題があったが、本発明のように、メールＩＤをログインＩＤとして使用するソーシャルネットワークサービス（ＳＮＳ）のログイン情報のみを利用して無線ＬＡＮ接続をすることにより、個人情報を保護することができる。
【００５１】
さらに、無線ＬＡＮ接続装置を通じたインターネット接続時に認証サーバが自動的に売場情報をポスティングして掲示することにより、無線ＬＡＮ接続装置を提供する売場の広告効果を極大化することができる。
【００５２】
本発明を添付の図面と上述した好ましい実施形態を参照しながら説明したが、本発明はこれに限定されるものではなく、添付の特許請求の範囲によって限定される。
【００５３】
したがって、本技術分野の通常の知識を有する者であれば、添付の特許請求の範囲の技術的思想から逸脱しない範囲内で、本発明を多様に変形および修正することができる。
【図１】
2014527326.tif 000004
【図２】
2014527326.tif 000005
【図３】
2014527326.tif 000006
【図４】
2014527326.tif 000007
【図５】
2014527326.tif 000008
【図６】
2014527326.tif 000009
【国際調査報告】
2014527326.tif 000010
2014527326.tif 000011
2014527326.tif 000012
2014527326.tif 000013